(57)【特許請求の範囲】
【請求項１】
円筒状の金属ケース内に収納されている所定の電気部品と接続される電気コードの一部分を、上記電気コードが引き出される上記金属ケースの一端側にコード固定手段を介して固定する電気コードの固定装置において、
上記コード固定手段は、上記電気コードが挿通された状態で上記金属ケース内に挿嵌されるコード引出金具と、上記コード引出金具に被せられて上記コード引出金具とともに上記金属ケース内に挿嵌される金属製の係止部材とを含み、
上記コード引出金具は、所定厚さの円盤状に形成された金具本体と、上記金具本体に挿通される上記電気コードの一部分を固着するコード固着部とを含み、上記金具本体の周縁部分には、上記金属ケース内から見て外径が漸次増大し最大外径が上記金属ケースの内径とほぼ同一径となるテーパ面が形成されているとともに、上記金具本体には、上記金属ケースの軸線とほぼ平行で雄ねじが挿通される複数のねじ挿通孔が穿設されており、
上記係止部材は、上記金具本体の小径側の上面と対向するワッシャ状の基部と、上記基部の外周縁に一体に連設され無負荷状態で端部が上記テーパ面の小径側部分に当接するスカート部とを有し、上記基部には、上記ねじ挿通孔と同軸に位置合わせされ、上記雄ねじが螺合される複数の雌ねじが形成されており、
上記雄ねじを介して上記係止部材を上記金具本体側に引き寄せるに伴って上記スカート部の端部側が上記テーパ面により拡径されて上記金属ケースの内面に密着し、その密着箇所における上記金属ケースの内面には上記スカート部の端部が入り込む係合溝が形成されていることを特徴とする電気コードの固定装置。
【請求項２】
上記係止部材は、バネ材よりなることを特徴とする請求項１に記載の電気コードの固定装置。
【請求項３】
上記スカート部には、上記基部の軸線方向と平行なスリットが設けられていることを特徴とする請求項１または２に記載の電気コードの固定装置。
【請求項４】
上記金属ケースがコンデンサマイクロホン用のマイクロホンケースであり、上記電気コードがシールド被覆を有するマイクコードであり、上記マイクコードのシールド被覆露出部が上記コード固着部に固着され、上記シールド被覆が上記コード引出金具および上記係止部材を介して上記マイクロホンケースに導通していることを特徴とする請求項１ないし３のいずれか１項に記載の電気コードの固定装置。
【発明の詳細な説明】
【技術分野】
【０００１】
本発明は、金属ケースに対する電気コードの固定装置に関し、さらに詳しく言えば、コンデンサマイクロホンに好適な電気コードの固定装置に関するものである。
【背景技術】
【０００２】
コンデンサマイクロホン、とりわけ図５に示すような長尺の音響管としてのマイクロホンケース１を有する狭指向性コンデンサマイクロホン（ガンマイクロホンとも呼ばれる）においては、多くの場合、マイクロホンケース１の後端側から電気コードとしてのマイクコード２が直に引き出されている。
【０００３】
マイクロホンケース１は、シールド機能を有する金属製の円筒管からなり、図示しないが、その内部には単一指向性コンデンサマイクロホンユニットやその音声信号出力回路を有する回路基板が収納されている。
【０００４】
マイクコード２には、２芯シールド被覆線が用いられ、その一端側はマイクロホンケース１内で上記回路基板の所定の端子と接続され、この例において、マイクコード２の他端側には、ファントム電源接続用のコネクタ３が設けられている。
【０００５】
マイクコード２は、コード引出金具を介してマイクロホンケース１に固定される。その従来技術の一例を図６ないし図８により説明する。
【０００６】
まず、図６を参照して、コード引出金具４は、マイクロホンケース１内に嵌合される円筒部４ａを有し、この円筒部４ａには、マイクロホンケース１に穿設されているねじ挿通孔１ａと位置合わせされる雌ねじ４ｂが設けられている。ねじ挿通孔１ａおよび雌ねじ４ｂは、通常、１２０゜間隔で３箇所に配置される。
【０００７】
円筒部４ａの底部中央には、マイクコード２に対するコード固着部４ｃが一体に設けられている。コード固着部４ｃは、スリーブ状に形成されていて、かしめによってマイクコード２を強固に固着する。
【０００８】
マイクコード２の被固着部分は、シールド被覆２ａが折り返し等により露出され、これによって、シールド被覆２ａとコード引出金具４との導通がとられる。なお、２本の芯線は作図の都合上、図示が省略されている。
【０００９】
円筒部４ａの底部の外周には、コードブッシュ５を取り付けるための溝４ｄが形成されている。コードブッシュ５は、ゴム等の弾性材からなり、その前縁の内側には、溝４ｄ内に係合する内部フランジ５ａが形成されている。
【００１０】
取付手順としては、マイクコード２の一端側に露出されているシールド被覆２ａの露出部分をコード固着部４ｃにかしめ等により固着したのち、図７に示すように、コード引出金具４にコードブッシュ５を被せて取り付ける。
【００１１】
そして、図８に示すように、コード引出金具４の円筒部４ａをマイクロホンケース１内に嵌合し、雌ねじ４ｂをねじ挿通孔１ａに同軸的に位置合わせし、雄ねじ（止めねじ）６を雌ねじ４ｂに螺合して締め付ける（類例として、特許文献１参照）。
【先行技術文献】
【特許文献】
【００１２】
【特許文献１】特開２００６−１２８８５０号公報
【発明の概要】
【発明が解決しようとする課題】
【００１３】
上記従来例によれば、機械的には、マイクコード２をコード引出金具４を介してマイクロホンケース１に強固に固定することができるが、他方において、電気的，意匠的な観点からは、次のような問題がある。
【００１４】
まず、電気的な問題点として、コード引出金具４は、マイクロホンケース１に数点（上記従来例では３点）でしかねじ止めされないため、そのねじ止め間の部分では、コード引出金具４とマイクロホンケース１との導通が十分にとられているとは言えない。
【００１５】
したがって、例えば強力な電磁波を放射する携帯電話機が近傍で使用されると、その電磁波がマイクロホンケース１内に入り込み、マイクロホンユニットに搭載されている半導体素子（インピーダンス変換器としてのＦＥＴ（電界効果トランジスタ））等により検波され、これが原因で雑音が発生することがある。
【００１６】
また、意匠的な観点から言えば、マイクロホンケース１の外周面に雄ねじ６の頭部が現れるため見栄えがよくない、という問題がある。
【００１７】
したがって、本発明の課題は、電気コードをコード引出金具を介して金属ケースに固定する電気コードの固定装置において、金属ケースとコード引出金具とが確実に導通し得るようにするとともに、金属ケースの外面に止めねじの頭部が現れないようにして意匠的に見栄えをよくすることにある。
【課題を解決するための手段】
【００１８】
上記課題を解決するため、本発明は、円筒状の金属ケース内に収納されている所定の電気部品と接続される電気コードの一部分を、上記電気コードが引き出される上記金属ケースの一端側にコード固定手段を介して固定する電気コードの固定装置において、
上記コード固定手段は、上記電気コードが挿通された状態で上記金属ケース内に挿嵌されるコード引出金具と、上記コード引出金具に被せられて上記コード引出金具とともに上記金属ケース内に挿嵌される金属製の係止部材とを含み、上記コード引出金具は、所定厚さの円盤状に形成された金具本体と、上記金具本体に挿通される上記電気コードの一部分を固着するコード固着部とを含み、上記金具本体の周縁部分には、上記金属ケース内から見て外径が漸次増大し最大外径が上記金属ケースの内径とほぼ同一径となるテーパ面が形成されているとともに、上記金具本体には、上記金属ケースの軸線とほぼ平行で雄ねじが挿通される複数のねじ挿通孔が穿設されており、上記係止部材は、上記金具本体の小径側の上面と対向するワッシャ状の基部と、上記基部の外周縁に一体に連設され無負荷状態で端部が上記テーパ面の小径側部分に当接するスカート部とを有し、上記基部には、上記ねじ挿通孔と同軸に位置合わせされ、上記雄ねじが螺合される複数の雌ねじが形成されており、上記雄ねじを介して上記係止部材を上記金具本体側に引き寄せるに伴って上記スカート部の端部側が上記テーパ面により拡径されて上記金属ケースの内面に密着し、その密着箇所における上記金属ケースの内面には上記スカート部の端部が入り込む係合溝が形成されていることを特徴としている。
【００１９】
本発明において、好ましくは上記係止部材はバネ材よりなり、さらに好ましくは、上記スカート部には上記基部の軸線方向と平行なスリットが設けられているとよい。
【００２１】
本発明はコンデンサマイクロホンに好適であり、したがって、本発明には、上記金属ケースがコンデンサマイクロホン用のマイクロホンケースであり、上記電気コードがシールド被覆を有するマイクコードであり、上記マイクコードのシールド被覆露出部が上記コード固着部に固着され、上記シールド被覆が上記コード引出金具および上記係止部材を介して上記マイクロホンケースに導通している態様が含まれる。
【発明の効果】
【００２２】
本発明によれば、コード引出金具の金具本体の周縁部分に金属ケース内から見て外径が漸次増大し最大外径が上記金属ケースの内径とほぼ同一径となるテーパ面を形成し、これに対して、係止部材側に上記テーパ面によって拡径されるスカート部を設け、雄ねじを介して係止部材を金具本体側に引き寄せるに伴ってスカート部の端部側が上記テーパ面により拡径されて金属ケースの内面に密着するようにしたことにより、金属ケースとコード引出金具とを係止部材のスカート部を介して確実に導通させることができる。また、雄ねじ（止めねじ）は金属ケースの端部側から差し込めばよく、その頭部が金属ケースの外面に現れないため、見栄えがよくなる。
【図面の簡単な説明】
【００２３】
【図１】本発明の実施形態における組立前の分離状態を示す断面図。
【図２】本発明の実施形態における組立途中を示す断面図。
【図３】本発明の実施形態における組立完了状態を示す断面図。
【図４】上記実施形態で用いている係止部材を示す斜視図。
【図５】狭指向性コンデンサマイクロホン（ガンマイクロホン）を示す外観図。
【図６】従来例に係る電気コード固定装置の組立前の分離状態を示す断面図。
【図７】上記従来例における組立途中を示す断面図。
【図８】上記従来例における組立完了状態を示す断面図。
【発明を実施するための形態】
【００２４】
次に、図１ないし図４により、本発明の実施形態について説明するが、本発明はこれに限定されるものではない。
【００２５】
まず、図１を参照して、この実施形態において、金属ケースは先の図５の従来例で説明したのと同じく、シールド機能を有する金属製の円筒管からなるマイクロホンケース１であり、また、これに固定される電気コードは、２芯シールド被覆線からなるマイクコード２である。また、上記従来例と同様に、ゴム等の弾性材からなるコードブッシュ５を備える。
【００２６】
この実施形態では、マイクロホンケース１に対してマイクコード２を固定するにあたって、図１に示すようなコード固定手段１００が用いられる。このコード固定手段１００には、コード引出金具１１０と、コード引出金具１１０に被せられて金属ケース１内に挿嵌される金属製の係止部材１２０とが含まれている。
【００２７】
コード引出金具１１０は、所定厚さの円盤状に形成され、その中央部分にマイクコード２が挿通される金具本体１１１を備え、金具本体１１１の下面１１１ｃ側（図１において右面側）には、スリーブ状であってかしめ等によりマイクコード２を固着するコード固着部１１２が一体に形成されている。
【００２８】
金具本体１１１は、マイクロホンケース１の後端側からマイクロホンケース１内に挿嵌されるが、その周縁部分１１１ｂには、マイクロホンケース１内から見て順テーパのテーパ面１１３が形成されている。
【００２９】
すなわち、金具本体１１１のマイクロホンケース１内に先に差し込まれる側の図１において左面側を上面１１１ａとして、テーパ面１１３は、上面１１１ａが最小外径で、下面１１１ｃ側に行くにしたがって外径が次第に大きくなり、下面１１１ｃ側でマイクロホンケース１の内径とほぼ同一径の最大外径となるように形成されている。
【００３０】
また、金具本体１１１には、マイクロホンケース１の軸線とほぼ平行で、雄ねじ１１５が挿通されるねじ挿通孔１１４が穿設されている。この実施形態において、ねじ挿通孔１１４は、点対称の２箇所に配置されている。これとは別に、ねじ挿通孔１１４は、例えば１２０゜間隔で３箇所に配置されてもよい。
【００３１】
また、金具本体１１１とコード固着部１１２との間には、コードブッシュ５を取り付けるための溝１１６が形成されている。これに対応して、コードブッシュ５の前縁の内側には、溝１１６内に係合する内部フランジ５ａが形成されている。
【００３２】
図４を併せて参照して、係止部材１２０は、金具本体１１１の小径側の上面１１１ａと対向するワッシャ状の基部１２１と、基部１２１の外周縁に一体に連設されたスカート部１２２とを有し、その全体が好ましくはバネ材よりなる。
【００３３】
基部１２１には、ねじ挿通孔１１４と同軸に位置合わせされる２箇所に、雄ねじ１１５と螺合する雌めじ孔１２３が形成されている。また、スカート部１２２は、無負荷状態（自然状態）で自由端側の端部１２２ａがテーパ面１１３の小径側部分に当接する大きさの円筒状に形成されている。
【００３４】
次に、組立手順の一例について説明する。まず、図１に示すように、マイクコード２の端部でシールド被覆２ａを折り返し等により露出し、そのシールド被覆露出部をコード固着部１２２に挿通して、かしめ等により固着する。なお、２本の芯線は作図の都合上、図示が省略されている。
【００３５】
また、金具本体１１１の上面１１１ａ側に係止部材１２０を被せ、雌めじ孔１２３とねじ挿通孔１１４とを同軸に位置合わせし、金具本体１１１の下面１１１ｃ側から雄ねじ１１５を差し込んで雌めじ孔１２３に螺合する。このとき、雄ねじ１１５はあまり強く締め付けない。
【００３６】
次に、図２に示すように、係止部材１２０とともに金具本体１１１をマイクロホンケース１の後端側からマイクロホンケース１内に挿嵌したのち、雄ねじ１１５を強く締め付けて、係止部材１２０を金具本体１１１側に引き寄せる。
【００３７】
そうすると、スカート部１２２の端部１２２ａがテーパ面１１３に沿って拡径し、最終的に、図３に示すように、スカート部１２２の端部１２２ａがマイクロホンケース１の内面に密着する。その後、コードブッシュ５を金具本体１１１の後面１１１ｃ側に取り付ける。
【００３８】
このようにして組立が完了するが、マイクロホンケース１の内面とコード引出金具１１０とが、それらの全周にわたってスカート部１２２を介して確実に導通するため、携帯電話機等から放射される電磁波のマイクロホンケース１内への侵入を効果的に阻止することができる。
【００３９】
また、止めねじである雄ねじ１１５が、マイクロホンケース１の外面に現れないため、意匠的に見栄えも向上する。
【００４０】
なお、スカート部１２２の拡径を容易にするため、図４に示すように、スカート部１２２に基部１２１の軸線方向と平行にスリット１２４を形成することが好ましい。スリット１２４は１箇所でもよいが、好ましくは均等間隔で３箇所もしくは４箇所に設けられるとよい。
【００４１】
また、マイクロホンケース１に対してコード引出金具１１０をより強固に固定するうえで、マイクロホンケース１の内面に、スカート部１２２の端部１２２ａが入り込む戻り止めとしての係合溝１ｂを形成することが好ましい。
【００４２】
本発明は、上記実施形態における狭指向性コンデンサマイクロホン以外のコンデンサマイクロホンにも適用可能であり、また、金属ケースとその金属ケースから引き出される電気コードを有する他の電気機器にも適用可能である。
【符号の説明】
【００４３】
１  マイクロホンケース（金属ケース）
１ｂ  係合溝
２  マイクコード（電気コード）
２ａ  シールド被覆
５  コードブッシュ
１００  コード固定手段
１１０  コード引出金具
１１１  金具本体
１１２  コード固着部
１１３  テーパ面
１１４  ねじ挿通孔
１１５  雄ねじ（止めねじ）
１２０  係止部材
１２１  基部
１２２  スカート部
１２３  雌ねじ
１２４  スリット
【図１】
0005534872.tif 000002
【図２】
0005534872.tif 000003
【図３】
0005534872.tif 000004
【図４】
0005534872.tif 000005
【図５】
0005534872.tif 000006
【図６】
0005534872.tif 000007
【図７】
0005534872.tif 000008
【図８】
0005534872.tif 000009